(57)【要約】【課題】充電池から一定の負荷電流を流すことによって、正確に電池の性能劣化を検出する電池劣化検出機能付携帯情報機器を提供する。【解決手段】電池劣化検出部１０８の選択制御手段は、所定の機能ブロックを選択し、消費電流が一定となるように動作させる。この時、他の各機能ブロックは、動作しないように制御するか、又は、選択された機能ブロックが消費する一定電流より十分小さい程度に消費電流を抑えるように制御する。また、電池劣化検出部１０８の劣化判断手段は、電池の性能劣化を検出する前に、一旦、充電池１０６を満充電し、この満充電圧値から所定の電圧値まで減電させて、その所定の電圧値までの減電時間を測定し、この減電時間と所定の設定時間と比較することによって、電池の性能劣化を検出する。【選択図】図１
2008236097.tif 000002
【特許請求の範囲】
【請求項１】
電源コネクタを介して、外部電源から充電する充電池を備え、前記充電池の劣化を検出する電池劣化検出機能付携帯情報機器であって、
前記電池劣化検出機能付携帯情報機器に搭載されている機能ブロックの内、１つ以上の機能ブロックを選択し、前記機能ブロックのみに一定の消費電流が消費されるように動作制御する選択制御手段と、
前記一定の消費電流を流し、満充電圧から所定の電圧まで降下する時間を測定し、該測定した測定時間と所定の設定時間とを比較し、比較した結果に基づいて前記充電地の劣化を判断する劣化判断手段と、
を備えたことを特徴とする電池劣化検出機能付携帯情報機器。
【請求項２】
前記電池劣判断手段は、前記測定時間と前記設定時間との差分値が所定の閾値と比較して、前記差分値が大きい場合、選択された前記機能ブロックに故障があることを判断し、警告表示することを特徴とする請求項１に記載の電池劣化検出機能付携帯情報機器。
【請求項３】
前記選択制御手段は、前記機能ブロックとしてカメラ部を選択した場合、前記カメラ部のレンズを遮蔽し、画像信号の変化により前記消費電流の変化を防ぎ、前記消費電流を一定に保持するように制御することを特徴とする請求項１又は請求項２に記載の電池劣化検出機能付携帯情報機器。
【請求項４】
前記選択制御手段は、前記機能ブロックとして音楽再生部を選択した場合、一定の周波数の音を再生し、音声信号の周波数変化により前記消費電流が変化することを防ぎ、前記消費電流を一定に保持するように制御することを特徴とする請求項１又は請求項２に記載の電池劣化検出機能付携帯情報機器。
【請求項５】
前記選択制御手段は、前記音声信号の前記一定の周波数を可聴周波数帯域外の一定の周波数とし、前記音声信号によりスピーカを駆動するように制御することを特徴とする請求項４に記載の電池劣化検出機能付携帯情報機器。
【請求項６】
前記選択制御手段は、前記機能ブロックとして発光部を選択した場合、前記発光部の発光部材を常時点灯させ、前記消費電流を一定に保持するように制御することを特徴とする請求項１又は請求項２に記載の電池劣化検出機能付携帯情報機器。
【請求項７】
前記選択制御手段は、前記機能ブロックとして赤外線送受信部を選択した場合、前記赤外線送受信部の発光部材を常時点灯させ、前記消費電流を一定に保持するように制御することを特徴とする請求項１又は請求項２に記載の電池劣化検出機能付携帯情報機器。
【請求項８】
前記選択制御手段は、前記機能ブロックとしてＴＶチューナ部を選択した場合、放送していない周波数帯にチューニングすることにより前記消費電流を一定に保持するように制御することを特徴とする請求項１又は請求項２に記載の電池劣化検出機能付携帯情報機器。
【請求項９】
前記選択制御手段は、電池劣化検出モード処理に移行した後、通信機能部が着信可能を選択した場合に着信履歴のみ残すように制御することを特徴とする請求項１から請求項８のいずれか１項に記載の電池劣化検出機能付携帯情報機器。
【請求項１０】
前記劣化判断手段は、電池劣化検出モード中であっても、前記電池劣化検出モードを解除する情報が発生したかどうかを判定し、前記情報が発生した場合に通常機能に戻るように制御することを特徴とする請求項１から９のいずれか１項に記載の電池劣化検出機能付携帯情報機器。
【発明の詳細な説明】
【技術分野】
【０００１】
本発明は、２次電池の性能劣化を精度よく検出し、ユーザに対して的確に性能劣化を報知する電池劣化検出機能付携帯情報機器に関する。
【背景技術】
【０００２】
最近の携帯電話等の携帯情報機器は、その機器が備える基本機能以外にもカメラ、音楽再生機能等を搭載し高機能化しており、それに伴い消費電流も増加する傾向にある。
【０００３】
従って、これらの充電可能な電池を搭載している携帯情報機器、例えば携帯電話等では、充電回数が従来よりも増加し、電池の性能劣化が発生し、電池の交換までの時間が従来よりも短くなってきている。
【０００４】
上記電池の劣化が発生し、従来機器の使用可能であった使用時間、例えば携帯電話で連続通話が２時間可能であったところが、１時間数十分程度まで短くなってしまうような事態が発生すると、通常より早く減電してしまい、必要なときに使えない、という不具合が生じてしまう。
【０００５】
上記問題点に対して、下記特許文献１に記載されている携帯電話装置の異常検出方法および装置では、電圧検出用コネクタの電圧を検出し、消費電力が異なる状態でのその電圧差と予め設定した値と比較し、その比較結果から電池の劣化を検出する方法が開示されている。
【０００６】
また、下記特許文献２に記載のバッテリ不具合判定機能付携帯端末装置およびバッテリ不具合判定方法では、機器内部の消費電力量を算出し、バッテリの電圧等から予測される電力消費量と比較し差分が大きい場合に劣化と判断する方法が開示されている。
【特許文献１】特開平１０−２０９９７９号公報
【特許文献２】特開２０００−３４９８７３号公報
【発明の開示】
【発明が解決しようとする課題】
【０００７】
しかしながら、上記特許文献１に開示されている方法では、処理の状態に応じて、負荷電流がばらつくことにより、検出される電圧もばらつき、電池の性能劣化の検出精度が落ちるという問題点がある。
【０００８】
また、上記特許文献２に開示されている方法でも、電力消費量の変化から劣化を予測しており、処理状態に応じて負荷電流がばらついた場合、電力消費量の変化もばらつき、電池の性能劣化の検出精度が落ちる恐れがある。また、消費電流の算出を行うための回路規模が増大するという問題点もある。
【０００９】
そこで、本発明は、上記の問題点を鑑みてなされたものであり、充電池から負荷電流を変動させずに流出させて、正確に電池の性能劣化を検出することができる電池劣化検出機能付携帯情報機器を提供するものである。
【課題を解決するための手段】
【００１０】
本発明は、上記目的を達成するために、以下に記載する構成を採用するとともに、以下の特徴を備えている。
【００１１】
本発明に係る電池劣化検出機能付携帯情報機器は、電源コネクタを介して、外部電源から充電する充電池を備え、前記充電池の劣化を検出する電池劣化検出機能付携帯情報機器であって、前記電池劣化検出機能付携帯情報機器に搭載されている機能ブロックの内、１つ以上の機能ブロックを選択し、前記機能ブロックのみに一定の消費電流が消費されるように動作制御する選択制御手段と、前記一定の消費電流を流し、満充電圧から所定の電圧まで降下する時間を測定し、該測定した測定時間と所定の設定時間とを比較し、比較した結果に基づいて前記充電地の劣化を判断する劣化判断手段と、を備えたことを特徴とする。
【００１２】
また、本発明に係る電池劣化検出機能付携帯情報機器において、前記電池劣判断手段は、前記測定時間と前記設定時間との差分値が所定の閾値と比較して、前記差分値が大きい場合、選択された前記機能ブロックに故障があることを判断し、警告表示することを特徴とする。
【００１３】
また、本発明に係る電池劣化検出機能付携帯情報機器において、前記選択制御手段は、前記機能ブロックとしてカメラ部を選択した場合、前記カメラ部のレンズを遮蔽し、画像信号の変化により前記消費電流の変化を防ぎ、前記消費電流を一定に保持するように制御することを特徴とする。
【００１４】
また、本発明に係る電池劣化検出機能付携帯情報機器において、前記選択制御手段は、前記機能ブロックとして音楽再生部を選択した場合、一定の周波数の音を再生し、音声信号の周波数変化により前記消費電流が変化することを防ぎ、前記消費電流を一定に保持するように制御することを特徴とする。
【００１５】
また、本発明に係る電池劣化検出機能付携帯情報機器において、前記選択制御手段は、前記音声信号の前記一定の周波数を可聴周波数帯域外の一定の周波数とし、前記音声信号によりスピーカを駆動するように制御することを特徴とする。
【００１６】
また、本発明に係る電池劣化検出機能付携帯情報機器において、前記選択制御手段は、前記機能ブロックとして発光部を選択した場合、前記発光部の発光部材を常時点灯させ、前記消費電流を一定に保持するように制御することを特徴とする。
【００１７】
また、本発明に係る電池劣化検出機能付携帯情報機器において、前記選択制御手段は、前記機能ブロックとして赤外線送受信部を選択した場合、前記赤外線送受信部の発光部材を常時点灯させ、前記消費電流を一定に保持するように制御することを特徴とする。
【００１８】
また、本発明に係る電池劣化検出機能付携帯情報機器において、前記選択制御手段は、前記機能ブロックとしてＴＶチューナ部を選択した場合、放送していない周波数帯にチューニングすることにより前記消費電流を一定に保持するように制御することを特徴とする。
【００１９】
また、本発明に係る電池劣化検出機能付携帯情報機器において、前記選択制御手段は、電池劣化検出モード処理に移行した後、通信機能部が着信可能を選択した場合に着信履歴のみ残すように制御することを特徴とする。
【００２０】
また、本発明に係る電池劣化検出機能付携帯情報機器において、前記劣化判断手段は、電池劣化検出モード中であっても、前記電池劣化検出モードを解除する情報が発生したかどうかを判定し、前記情報が発生した場合に通常機能に戻るように制御することを特徴とする。
【発明の効果】
【００２１】
上記のように構成された本発明に係る電池劣化検出機能付携帯情報機器によれば、以下のような優れた効果を奏し得る。
【００２２】
本発明に係る電池劣化検出機能付携帯情報機器によれば、本機器内の基本構成部の内、１つ又は複数の機能ブロックに一定の消費電流を流すように動作させることによって、電池の両端の電圧が所定の電圧に降下するまでの時間と予め定めた時間との比較判定することできるため、その時間差から正確に電池劣化を検出することができる。
【００２３】
また、該携帯情報機器内に既に搭載されている機能ブロックを使うことにより、新たに電池劣化検出のための一定消費電力回路を追加する必要もないので回路規模を増大することなく、コスト低減を図ることができる。
【００２４】
また、満充電後に、使用可能な電圧の下限まで減電させることにより、通常使用時には中途半端な電圧で充放電を繰り返すことにより生じる電池のメモリ効果を防ぐことが可能である。
【発明を実施するための最良の形態】
【００２５】
以下、本発明の実施形態について、図面を参照して、説明する。
図１〜図５は、本発明の電池劣化検出機能付携帯情報機器に係る実施形態の一例であって、図中、同一の符号を付した部分は同一物を表わすものとする。
【００２６】
＜第１の実施形態の説明＞
まず、本発明の電池劣化検出機能付携帯情報機器の構成について、図１を用いて説明する。
【００２７】
図１は、電池劣化検出機能付携帯情報機器の構成を示すブロック図である。
図１に示すように、携帯機器電池劣化検出機能付携帯情報機器１０は、外部画像又は自画像の画像を取り込むカメラ部１００と、本機器内のメモリ又は外部機器内のメモリに保存されている音楽データを再生する音楽再生部１０１と、液晶画面のバックライト、キーのＬＥＤ、ピクチャーライト等の照明制御を行う発光部１０２と、赤外線により他機器とデータの送受信を行う赤外線送受信部１０３と、地上波デジタル放送等のＴＶ放送を受信するＴＶチューナ部１０４と、基地局とのデータの送受信を行う通信機能部１０５と、充電することにより繰り返し使うことのできる充電池１０６と、外部電源から供給される電力を充電池に供給する制御を行う充電制御部１０７と、液晶ディスプレイ等でメール、カメラ画像等の情報を表示する表示部１０９と、を備えて構成されている。
【００２８】
さらに、電池劣化検出機能付携帯情報機器１０は、本発明の特徴である上記カメラ部１００等の各部位の内、いずれかの部位を選択し、その部位に一定の消費電流を流し、その他の部位は動作させないように制御する選択制御手段と、満充電圧値から所定の減電圧まで測定した時間と予め設定された設定時間と、を比較し、この比較結果に基づいて、劣化を判断する劣化判断手段と、を有した電池劣化検出部１０８を備えている。
【００２９】
また、外部電源１１２と充電制御部１０７とを接続するコネクタ１１０と、充電池からの電圧をレギュレートし、各部に電源を供給する電源部１１１とをさらに備えている。
【００３０】
次に、上記のように構成された電池劣化検出機能付携帯情報機器１０の電池劣化検出動作について、図２に基づいて説明する。
【００３１】
図２は、電池劣化検出動作のフローを示す図である。
ここで、図２を用いて、動作フローを説明する前に、電池劣化検出の基本概念を説明しておく。
【００３２】
電池劣化検出部１０８の選択制御手段は、例えば、図１のカメラ部１００を選択し、消費電流が一定となるようにカメラ部１００を動作させる。この時、他の各部は、動作しないように制御するか、又は、カメラ部１００が消費する一定電流より十分小さい程度に消費電流を抑えるように制御する。
【００３３】
また、電池劣化検出部１０８の劣化判断手段は、電池の性能劣化を検出する前に、一旦、充電池１０６を満充電し、この満充電圧値から所定の電圧値まで減電させて、その所定の電圧値までの減電時間を測定する。この減電時間と所定の設定時間と比較することによって、電池の性能劣化を検出することができる。
【００３４】
すなわち、１つの部位からのみ一定の消費電流を消費し、他の部位による消費電流の影響を受けないようにしていることから、上記測定した減電時間が所定の設定時間よりも長い時間であれば、電池の劣化はないと判断することができる。また、逆に、この減電時間が所定の設定時間よりも短い時間であれば、「電池の劣化がある」と判断することができ、ユーザにその旨の報知することが可能である。
【００３５】
上記の電池劣化検出の基本的な概念を踏まえて、図２を用いて、動作フローを説明する。
【００３６】
図２より、まず、ユーザは、表示部１０９により、充電池１０６を充電すべき旨のメッセージを確認した場合、ＡＣアダプタ等の外部電源１１２を電池劣化検出機能付携帯情報機器（以下、本機器と略称する）１０のコネクタ１１０に接続する。充電制御部１０７により、充電が開始されると（ステップＳ１００）、本電池劣化検出モード処理に移行するか否かを判断する処理を実行する（ステップＳ１１０）。
【００３７】
移行するか否かの判断処理として、例えば、満充電を実行した回数の履歴を残しておき、所定の回数経過後に本電池劣化検出モード処理に移行するようにする。
【００３８】
ここで、処理の順序を逆にして、例えば、ユーザは、充電池１０６を充電すべき旨のメッセージを確認した後に、充電開始を行う代わりに、電池劣化検出モード処理に移行するか否かを判定する処理（ステップＳ１１０）を行い、移行すると判定した場合に、電池劣化検出モード処理に移行するようにしてもよい。この場合も、満充電を実行した回数の履歴に基づいて移行判断するようにしてもよい。なお、移行すると判定しない場合には、通常の満充電が行われる。
【００３９】
ステップＳ１１０の判定処理で電池劣化検出モードに移行する場合（ステップＳ１１０；Ｙｅｓ）、まず、充電制御部１０７は、満充電開始処理を行い、満充電検出後、充電動作を終了する（ステップＳ１２０）。
【００４０】
次に、電池劣化検出部１０８の選択制御手段は、例えば、カメラ部１００のみを選択し、動作させるとともに、その他の部位（ブロック）は動作させないように停止しておく。このように、所定の部位において、ほぼ一定の消費電流を流すように制御する。
【００４１】
なお、カメラ部１００が選択された場合、例えば、レンズにシャッター等で遮蔽しておき、光入力による消費電流が変化しないようにしておく。また、この一定電流消費工程において、クラムシェル開閉、キー入力の検出も不可とし電流が変化しないようにする。
【００４２】
このとき、電池劣化検出モード処理中であり、本機器１０が使用不可であることを示すため、本体ＬＣＤ等の表示部１０９に電池劣化検出モードであることを表示する、あるいは、充電台に搭載した場合、充電台のＬＥＤ等を点灯し、このＬＥＤで確認することによって、誤操作を防ぐことが可能である。以上の動作をステップＳ１３０で処理する。
【００４３】
次に、カメラ部１００に一定の電流を流し始めて、減電を開始した後、電池劣化検出部１０８の劣化判断手段は、所定の減電圧値に達したどうかを判定する（ステップＳ１４０）。所定の電圧値に達していなければ（ステップＳ１４０；Ｎｏ）、減電時間をカウントアップして、更新し（ステップＳ１５０）、上記ステップＳ１４０に戻る。
【００４４】
一方、所定の電圧値に達していると判定した場合（ステップＳ１４０；Ｙｅｓ）、ステップＳ１５０で得られた減電時間（ＧＴ）と予め設定された設定時間値（ＳＴ）とを比較・判定する（ステップＳ１６０）。ＧＴがＳＴより大きいと判定した場合（ステップＳ１６０；Ｙｅｓ）、電池劣化問題はない旨を表示（ステップＳ１７０）した後、再度満充電まで充電する（ステップＳ１９０）。そして、電池劣化検出モードにおいて、通常の動作モードに復帰し（ステップＳ２００）、本電池劣化検出モード処理の動作を終了する。
【００４５】
このように、それまで他の機能ブロックを止めて劣化検出いたものを解除させることで、通話機能はもちろん、アラーム等で目覚まし時計も通常通り使うことが可能となる。
【００４６】
また、ＧＴがＳＴより小さい場合（ステップＳ１６０；Ｎｏ）には、電池の劣化があると判断し、警告表示する（ステップＳ１８０）。電池の劣化があっても、本体の機能が失われるわけではないので、通常の動作モードに復帰する処理（ステップＳ２００）に移行する。
【００４７】
なお、ステップＳ１１０において、本電池劣化検出モード処理に移行しないと判定された場合（ステップＳ１１０；Ｎｏ）には、満充電の検出を行い、本処理を終了する（ステップＳ２１０）。
【００４８】
ここで、上記予め設定された設定時間値とは、携帯機器固有の値でもよいし電池購入時の実測値であってもよい。
【００４９】
以上説明したように、既存の部位（機能ブロック）であるカメラ部１００に一定電流を流して、他の部位に依存しないようにすることで、所定の電圧に降下するまでの時間により判定することができ、電池劣化を高い精度で検出することができる。
【００５０】
また、機能ブロックとして、カメラ部１００のみ選択・動作させ、他の機能ブロックを動作させないようにすることにより、新たに一定電流消費ブロックを追加する必要がないため、回路増大を伴うことなく電池劣化を検出することができる。
【００５１】
さらに、電池劣化検出時には一度満充電にした後、使用可能な電圧の下限まで減電させるため、通常使用時に中途半端な電圧で充放電を繰り返すことにより生じてしまう電池のメモリ効果に対しても有効な対策となる。
また、電池劣化検出は通常の充電動作の延長で行えるため、特に、電池劣化検出していることを意識せずに行うことができる。
【００５２】
＜第２の実施形態の説明＞
ここで、上記減電時間判定ステップ（ステップＳ１６０；Ｎｏ）において、測定結果である減電時間（ＧＴ）が判定基準となる設定時間値（ＳＴ）より小さいと判定した場合、前記第１の実施形態では、「電池の劣化」と判断したが、さらに、設定値（ＳＴ）と実測値（ＧＴ）との差が、所定の閾値時間（ＴＴ）より絶対値的に大きい場合は、回路の故障（＋側に大きい場合には、電流が増大しショート準じた故障が発生）と判断することができ、回路自体の故障を検出することができる。
【００５３】
この回路の故障判断処理を含めた減電時間判定ステップ（ステップＳ１６０；Ｎｏ）以降の処理の動作フローについて、図３を用いて説明する。
【００５４】
測定結果である減電時間（ＧＴ）が判定基準となる設定時間値（ＳＴ）より小さいと判定した場合（ステップＳ１４０；Ｎｏ）、差時間（｜ＧＴ−ＳＴ｜）と所定の閾値時間（ＴＴ）と比較判定する（ステップＳ３００）。比較判定した結果、差時間が閾値時間より大きいと判断した場合には（ステップＳ３００；Ｙｅｓ）、「回路故障であること」を表示部１０９に警告表示する（ステップＳ３１０）。そして、満充電を開始せずに、そのまま、本処理を終了する。
【００５５】
一方、差時間が閾値時間より小さいと判断した場合（ステップＳ３００；Ｎｏ）には、従来と同様に、「電池劣化の警告表示」の処理を行い（ステップＳ１８０）、上記第１の実施形態と同様に通常動作モードに戻す（ステップＳ２００）。
【００５６】
なお、減電時間判定ステップ（ステップＳ１６０；Ｙｅｓ）以降は、第１の実施形態と同じ処理フローとなる。
【００５７】
以上説明したように、電池の劣化ではなく、カメラ部１００の内部の回路が故障し、特に、消費電流が大きく変化した場合には、減電圧が電池の劣化の場合に比較して、減電時間（ＧＴ）が設定時間（ＳＴ）よりかなり短く、すなわち、減電時間（ＧＴ）と設定時間（ＳＴ）の絶対差分値（｜ＧＴ−ＳＴ｜）が大きくなることから、この差分値と閾値との比較を行うことによって、カメラ部１００自体の回路の故障を検出することができる。
【００５８】
次に、一定消費電流ステップの部位として上記カメラ部１００を例に説明したが、他の部位を用いた場合の電池劣化検出動作について説明する。
＜音声再生部の場合の説明＞
一定電流消費ステップ（ステップＳ１３０）において、音楽再生部１０１を選択し、一定電流で消費し使用可能な電圧の下限まで減電を検出させる。その一定電流にて消費する際、通常の音楽を再生した場合、電流が変化し正確な測定ができないため、予め搭載されている一定周波数の音源を再生することにより一定電流に保つようにする。
【００５９】
また、上記一定周波数の音源を再生する際、騒音等を気にする必要がない場合はスピーカ２１から音を出した方が、消費電流が多くなり検査時間を短くすることが可能であるが、深夜等音を出せない場合は、スピーカ１２０からの出力のみを「ＯＦＦ」することにより静かな場所でも検査することが可能となる。
【００６０】
また、上記一定周波数が可聴周波数以外の周波数帯域である場合、スピーカ１２０をＯＦＦしなくても騒音の問題がないため、可聴周波数以外の周波数帯域の音源を使用してもよい。
このように、既存の機能ブロックである音楽再生部１０１に一定電流を流して所定の電圧に降下するまでの時間により判定することで、電池劣化を高い精度で検出することができる。また、新たに一定電流消費ブロックを追加する必要がないので回路増大を伴うことなく電池劣化を検出することができる。また、他の効果についても、カメラ部１００を使用した場合と同様である。
【００６１】
＜発光部又は赤外線送受信部の場合の説明＞
一定電流消費ステップ（ステップＳ１３０）において、発光部１０２を選択し、一定電流を消費させて、使用可能な電圧の下限まで減電を検出させる。その一定電流にて消費する際、発光部１０２のＬＥＤが点滅したり、クラムシェルの開閉、キー操作により点灯、消灯したりすると電流が変化するため、電池劣化検出モード時はクラムシェルの開閉、キー操作を検出せず常時ＬＥＤを点灯させることより一定電流に保つようにする。
【００６２】
また、本装置が赤外線送受信部１０３を備えるものである場合、赤外線送受信部１０３を動作させ、ＬＥＤを常時点灯させて、一定電流に保つようにしてもよい。
既存の機能ブロックである発光部１０２あるいは赤外線送受信部１０３に一定電流を流して所定の電圧に降下するまでの時間により判定することで、電池劣化を高い精度で検出することができる。また、同様に、新たに一定電流消費ブロックを追加する必要がないので回路増大を伴うことなく電池劣化を検出することができる等の効果がある。
【００６３】
＜ＴＶチューナ部の場合の説明＞
一定電流消費工程（ステップＳ１３０）において、ＴＶチューナ部１０４を選択し、一定電流で消費し使用可能な電圧の下限まで減電を検出させる。その一定電流にて消費させるため、画像データが受信できないよう、放送していない周波数帯にチューニングすることより一定電流に保つようにする。
【００６４】
既存の機能ブロックであるＴＶチューナ部１０４に一定電流を流して所定の電圧に降下するまでの時間により判定することで、電池劣化を高い精度で検出することができ、新たに一定電流消費ブロックを追加する必要がないので回路増大を伴うことなく電池劣化を検出することができる。
ここで、上述した例では、１つの機能ブロックを選択し、そのブロックにおいて、一定電流で消費し使用可能な電圧の下限まで減電を検出させる方法を示したが、各ブロックのうち２つ以上の複数の機能ブロックを選択し、動作させることにより、消費電流を増加させ、検査にかかる時間を短くすることが可能である。ここで、各ブロックの消費電流を一定電流に保つことには変わりがない。
【００６５】
＜第３の実施形態の説明＞
次に、前述した実施形態において、選択した部位を一定消費電流になるように制御するにあたって、その対象の部位以外の部位については、動作しないようにしており、特に、通信機能部１０５については、着信等通信機能を受け付けないようにすることにより、対称部位の消費電流を一定に保つようにしているが、着信等通信機能の内、電話着信履歴は残す必要がある場合もある。
【００６６】
電話着信履歴を残す処理を含んだ動作フローについて、図４を用いて説明する。
本動作フローは、図２に示すステップＳ１１０とＳ１２０間に挿入される。ステップＳ１１０で、電池劣化モード検出処理に移行した後、電話着信履歴を残すか否かの判定処理を行う（ステップＳ４００）。電話着信履歴を残すと判断した場合（ステップＳ４００；Ｙｅｓ）、電話受信を可能とし（ステップＳ４１０）、ステップＳ１２０の処理に移行する。また、電話着信履歴を残さないと判断した場合（ステップＳ４００；Ｎｏ）、電話受信不可状態のままとし、そのままステップＳ１２０の処理に移行する。
【００６７】
ここで、電話着信履歴を残すか否かの判定情報は、例えば、電池劣化モード検出処理に移行時に残すか否かの情報を入力するようにしてもよいし、ステップＳ４００の直前で、ユーザに対して情報入力を促すようにしてもよい。
【００６８】
通話機能部１０５の機能を完全にＯＦＦにしておいた方が電池劣化検出モード中の電流を一定に保つことが可能であるが、機能ブロックに対し、携帯電話の待ち受け時平均電流は微小であるため、着信時の呼び出し動作はさせず、留守電、着信履歴を残すのみにすることにより、電流の変化を最小限に抑えて着信履歴を残すことができる。
また、最低限着信履歴が残せることにより、携帯電話の機能を損なうことを防ぐことができる。
【００６９】
＜第４の実施形態の説明＞
電池劣化検出中に、通話等の本体機能を使用する必要が発生し、電池劣化検出モード処理を強制的に解除したい場合が生ずる。本実施形態は、このような状態を確保することを考慮したものであり、図５に示すフローに従って動作を説明する。
【００７０】
電池劣化検出処理モードに移行後、任意の処理ステップの実行又は終了時において、電池劣化検出モードを強制的に解除したかどうかを判定する（ステップＳ５００）。強制的に解除したことを検出した場合（ステップＳ５００；Ｙｅｓ）、全ての条件を解除し通常処理モードにし（ステップＳ５１０）、本処理を終了する。一方、解除を検出しなかった場合（ステップＳ５００；Ｎｏ）、上記処理ステップに処理を戻す。
【００７１】
ここで、強制的に解除したことの情報としては、例えば、外部電源１１２を外したことの情報等が挙げられる。外部電源１１２を外したことによって充電動作をやめた場合は、電池劣化検出できなくなるため、電池劣化検出することを止めると判断することができる。また、解除情報として、特別に割り当てられたキーの押下であってもよい。
【００７２】
このように、通常動作モードに戻ることにより、着信履歴を残すばかりでなく、着信を受けて通話することが可能となる。
【００７３】
尚、本発明の電池劣化検出機能付携帯情報機器は、上記した実施形態に限定されるものではなく、本発明の要旨を逸脱しない範囲内において種々変更を加え得ることは勿論である。
【図面の簡単な説明】
【００７４】
【図１】電池劣化検出機能付携帯情報機器の構成を示すブロック図である。
【図２】電池劣化検出動作のフローを示す図である。
【図３】回路故障判断処理を含めた減電時間判定ステップ以降の処理の動作フローを示す図である。
【図４】電話着信履歴を残す処理を含んだ動作フローを示す図である。
【図５】電池劣化検出モード処理を強制的に解除する処理ステップを含む動作フローを示す図である。
【符号の説明】
【００７５】
１０  電池劣化検出機能付携帯情報機器
１００  カメラ部
１０１  音楽再生部
１０２  発光部
１０３  赤外線送受信部
１０４  ＴＶチューナ部
１０５  通信機能部
１０６  充電池
１０７  充電制御部
１０８  電池劣化検出部
１０９  表示部
１１０  コネクタ
１１１  電源回路部
１１２  外部電源
１２０  スピーカ
【図１】
2008236097.tif 000003
【図２】
2008236097.tif 000004
【図３】
2008236097.tif 000005
【図４】
2008236097.tif 000006
【図５】
2008236097.tif 000007